(57)【要約】【課題】簡単に目的映像の検索が行える廉価な映像監視システムの提供。【解決手段】上記課題は、防犯カメラによって撮影して得られたアナログ映像データをデジタル映像データとしてハードディスクに記録保存する映像記録装置３と、通信回線９で接続された映像確認装置８とを備えた映像監視システムにおいて、映像確認装置８を汎用パソコンとすると共に、その汎用パソコンの表示部１５に、映像記録装置３から取り込まれた所定のデジタル映像データを記録時間単位で一定間隔毎に一塊に分割された分割映像として、その分割映像を複数個のサムネイル静止画として表示した後、それらサムネイル静止画中、目的画像に該当するサムネイル静止画を、前記表示部１５上で選択指定して絞り込み、その絞り込んだサムネイル表示静止画像を、前記表示部１５に映像再生させることで、解決できる。【選択図】図１
2006074667.tif 000002
【特許請求の範囲】
【請求項１】
各監視区域に設置されてその監視区域を撮影する防犯カメラと、これら防犯カメラによって撮影して得られたアナログ映像データをデジタル映像データとしてハードディスクに記録保存する映像記録装置と、通信回線で接続された映像確認装置とを、少なくとも備えた映像監視システムにおいて、前記映像記録装置を、前記防犯カメラからのアナログ映像データをデジタル映像データに変換するＡ／Ｄ変換部と、このＡ／Ｄ変換部により変換されたデジタル映像データを記録時間と関連付けて記録保存しておく映像記録部と、この映像記録部に保存されているデジタル映像データを前記映像確認装置に送信する映像記録装置用インターフェイス部と、この映像記録装置用インターフェイス部、前記Ａ／Ｄ変換部及び前記映像記録部を制御する映像制御部とから構成すると共に、前記映像確認装置を、前記映像記録装置用インターフェイス部に通信回線で接続される映像確認装置用インターフェイス部と、中央処理部と、画像記憶部と、画像処理部と、入力部と、表示部とからなる汎用パソコンとし、その汎用パソコンの表示部に、前記映像記録装置から前記汎用パソコンに取り込まれた所定のデジタル映像データを記録時間単位で一定間隔毎に一塊に分割された分割映像として、その分割映像を、複数個のサムネイル静止画として表示した後、それらサムネイル静止画のうち、目的画像に該当するサムネイル静止画を、前記表示部上で選択指定して絞り込み、その絞り込んだサムネイル表示静止画像を、前記表示部に映像再生させるようにしたことを特徴とする映像監視システム。
【請求項２】
前記汎用パソコンの表示部に、前記映像記録装置から前記映像確認装置に取り込まれた所定のデジタル映像データを記録時間単位で一定間隔毎に一塊に分割された分割映像として、その分割映像を、複数個のサムネイル静止画として表示した後、それらサムネイル静止画のうち、目的画像に該当するとして絞り込んだサムネイル静止画をさらに細かく記録時間単位で一定間隔毎に一塊に分割された分割映像として、その分割映像を、複数個のサムネイル静止画として表示するようにしたことを特徴とする請求項１記載の映像監視システム。
【発明の詳細な説明】
【技術分野】
【０００１】
本発明は、顧客などから再生依頼にあった映像を、短時間で検索して表示できる防犯用として好適な映像監視システムに関するものである。
【背景技術】
【０００２】
従来、防犯用の映像監視システムでは、マンションのエントランス、駐輪場、エレベーターなどの監視対象場所に設置した防犯カメラで、その監視対象場所を長時間撮影することにより、得られた大量の映像を記録保存しておくと共に、その大量の映像の中から、顧客などが映像の内容を確認したいと所望する映像を、短時間で検索して表示部に、再生表示できるようにしたものが求められている。
【０００３】
そこで、防犯カメラによって撮影して得られたアナログ映像をデジタル映像データとしてハードディスクに、分類整理して記録保存する映像記録装置が開発されている（例えば、特許文献１参照）。
【０００４】
【特許文献１】特開２０００−２２４５４２号公報（段落番号００００〜段落番号００００、図１）
【発明の開示】
【発明が解決しようとする課題】
【０００５】
しかしながら、上記特開２０００−２２４５４２号公報に記載された映像記録装置では、防犯カメラによって撮影して得られたアナログ映像をデジタル映像データとしてハードディスクに、高度なマイコン処理により分類整理して記録保存しておくと共に、高度なマイコン処理により所望する映像を短時間で検索表示できるようしているために、映像記録装置本体が高価格なものになってしまうという問題があった。
【０００６】
本発明の目的は、上述した問題点に鑑みてなされたもので、ハードディスクに分類整理して記録保存されたデジタル映像データの中から、再生表示したいデジタル映像データの検索及び絞込みを、汎用パソコンで簡単に行えるようにした映像監視システムを提供するにある。
【課題を解決するための手段】
【０００７】
上記目的を達成するために、本発明は、各監視区域に設置されてその監視区域を撮影する防犯カメラと、これら防犯カメラによって撮影して得られたアナログ映像データをデジタル映像データとしてハードディスクに記録保存する映像記録装置と、通信回線で接続された映像確認装置とを、少なくとも備えた映像監視システムにおいて、前記映像記録装置を、前記防犯カメラからのアナログ映像データをデジタル映像データに変換するＡ／Ｄ変換部と、このＡ／Ｄ変換部により変換されたデジタル映像データを記録時間と関連付けて記録保存しておく映像記録部と、この映像記録部に保存されているデジタル映像データを前記映像確認装置に送信する映像記録装置用インターフェイス部と、この映像記録装置用インターフェイス部、前記Ａ／Ｄ変換部及び前記映像記録部を制御する映像制御部とから構成すると共に、前記映像確認装置を、前記映像記録装置用インターフェイス部に通信回線で接続される映像確認装置用インターフェイス部と、中央処理部と、画像記憶部と、画像処理部と、入力部と、表示部とからなる汎用パソコンとし、その汎用パソコンの表示部に、前記映像記録装置から前記汎用パソコンに取り込まれた所定のデジタル映像データを記録時間単位で一定間隔毎に一塊に分割された分割映像として、その分割映像を、複数個のサムネイル静止画として表示した後、それらサムネイル静止画のうち、目的画像に該当するサムネイル静止画を、前記表示部上で選択指定して絞り込み、その絞り込んだサムネイル表示静止画像を、前記表示部に映像再生させるようにしたことを特徴とする。
【０００８】
さらに、本発明は、前記汎用パソコンの表示部に、前記映像記録装置から前記映像確認装置に取り込まれた所定のデジタル映像データを記録時間単位で一定間隔毎に一塊に分割された分割映像として、その分割映像を、複数個のサムネイル静止画として表示した後、それらサムネイル静止画のうち、目的画像に該当するとして絞り込んだサムネイル静止画をさらに細かく記録時間単位で一定間隔毎に一塊に分割された分割映像として、その分割映像を、複数個のサムネイル静止画として表示するようにしたことを特徴とする。
【発明の効果】
【０００９】
本発明によれば、汎用パソコンで再生表示したいデジタル映像データの検索及び絞込みを行うようしたので、映像記録装置に高仕様な処理機構を組み込まなくともよく、映像記録装置本体を廉価なものとすることができ、しかも、汎用パソコンによって、ハードディスクに分類整理して記録保存されたデジタル映像データの中から再生表示したいデジタル映像データの検索及び絞込みを、簡単に行うことのできる映像監視システムが得られる。
【発明を実施するための最良の形態】
【００１０】
以下、本発明に係る映像監視システムの一実施形態を図面に基づいて説明する。図１は、本発明の一実施形態に係わる映像監視システムの全体構成を示す、ブロック図である。図２は、本発明の一実施形態に係わる映像監視システムの映像記録装置における映像記録部の映像記録形式の概念説明図である。図３は、本発明の一実施形態に係わる映像監視システムの映像検索手順を示すフローチャートである。図４は、本発明の一実施形態に係わる映像監視システムの映像記録装置に接続される映像確認装置に表示される表示画面例の説明図である。
【００１１】
図１に示す映像監視システム１は、エントランスやエレベーター内などの各監視区域に設置されてその監視区域を撮影する防犯カメラ２〜２Ｎと、これら防犯カメラ２〜２Ｎによって撮影して得られたアナログ映像データをデジタル映像データデータとしてハードディスクに記録保存する映像記録装置３と、ＬＡＮ回線などの通信回線９で接続される映像確認装置８とを、少なくとも備えている。
【００１２】
映像記録装置３は、図１に示すように、Ａ／Ｄ変換部４と、映像制御部５と、ハードディスクからなる映像記録部６と、映像記録装置用インターフェイス部７とから、少なくとも構成されている。Ａ／Ｄ変換部４は、防犯カメラ２〜２Ｎからのアナログ映像データをデジタル映像データに変換する機能を有している。映像制御部５は、Ａ／Ｄ変換部４により変換されたデジタル映像データをチャプター形式により分類して映像記録部６に記録時間と関連付けて階層的に記録させると共に、映像確認装置８からの要求指令があると、映像記録装置用インターフェイス部７を介して映像記録部６に記録されているデジタル映像データのうち、映像確認装置８からの要求指令に基づき選択された所定のデジタル映像データが、映像確認装置８に送信させるように、Ａ／Ｄ変換部４、映像記録部６及び映像記録装置用インターフェイス部７を制御している。
【００１３】
映像記録装置３の映像記録部６には、防犯カメラ２〜２Ｎで撮影されたアナログ映像データをＡ／Ｄ変換部４により変換することにより得られたデジタル映像データが、図２に示すように、記録されている。すなわち、映像記録部６には、デジタル映像データが、図２に示すように、記録時間ｔ０１からｔ０ｎまでの記録映像のフレーム画像６Ａを一塊とする映像情報単位６Ｂで分類記録されると共に、記録時間ｔ１ｎからｔｍｎまでのそれぞれの映像情報単位６Ｂを一塊とする映像データ単位６Ｃとして分類記録され、さらに、その映像データ単位６Ｃを、複数個一塊としたチャプター形式により階層的に記録される。
【００１４】
映像確認装置８は、汎用パソコンからなり、図１に示すように、映像記録装置用インターフェイス部７にＬＡＮ回線などの通信回線９で接続される映像確認装置用インターフェイス部１０と、中央処理部（ＣＰＵ）１１と、画像記憶部１２と、画像処理部１３と、入力部１４と、ユーザインターフェイスとなる表示部１５とから、少なくとも構成されている。
【００１５】
映像確認装置用インターフェイス部１０は、映像記録装置３の映像記録装置用インターフェイス部７から送信されてきた映像記録装置３の映像記録部６に記録されている所定のデジタル映像データを受信した後、その所定のデジタル映像データを中央処理部１１に送信するものである。画像記憶部１２は、中央処理部１１に送信されてきた映像記録装置３の映像記録部６に記録された所定のデジタル映像データを、中央処理部１１からの指令に基づき、一旦記憶しておくものである。画像処理部１３は、中央処理部１１からの指令に基づき、画像記憶部１２に記憶されたデジタル映像データを所定のフォーマットに変換して表示部１５に表示させるようにするものである。入力部１４は、映像記録装置３の映像記録部６に記録されたデジタル映像データの中から所定のデジタル映像データを検索するための検索指令を、中央処理部１１に入力するものである。
【００１６】
中央処理部１１は、映像記録装置３の映像記録部６から映像確認装置８の映像記憶部１２に取り込まれた所定のデジタル映像データの、所定時間帯（確認したい時間帯）の部分につきチャプター検索が実行されて、表示部１５に図４に示すチャプター検索第１画面１６を表示し、そのチャプター検索第１画面１６に、絞込み釦１７と一緒に、記録時間単位（１時間単位）で一定間隔毎に一塊に分割された分割映像が、１２個のサムネイル静止画として表示されるように、画像処理部１３及び表示部１５を制御し、その後、チャプター検索第１画面１６において、検索したいサムネイル静止画の開始位置及び終了位置を選択指定し、かつ、絞込み釦１７を押すことで、表示部１５に図４に示すチャプター検索第２画面１８を表示し、そのチャプター検索第２画面１８に、絞込み釦１９と一緒に、記録時間単位（５分単位）で一定間隔毎に一塊に分割された分割映像が、１２個のサムネイル静止画として表示されるように、画像処理部１３及び表示部１５を制御し、しかも、チャプター検索第２画面１８に表示されたサムネイル静止画中、目的画像に該当するサムネイル静止画１８Ａを選択指定した後、図４のチャプター検索第２画面１８の絞込み釦１７を押すことで、検索する映像の絞り込みが行われて、チャプター検索第２画面１８に表示されたサムネイル表示静止画像のうち絞り込んだサムネイル静止画１８Ａを、表示部１５に再生映像画面２０として映像再生させるように、画像処理部１３及び表示部１５を制御するものである。
【００１７】
上記一実施形態の映像監視システムにおいて、防犯カメラ２〜２Ｎによって撮影された映像の中で確認したい映像（以下、目的映像と称する。）を検索してその目的映像の内容を確認するには、図３に示す手順で行えばよい。以下、その手順を説明する。
【００１８】
（１）まず、保全作業者、顧客などの映像内容を確認したい者（以下、映像確認者と称する。）が、防犯カメラ２〜２Ｎによる監視区域内で何らかの事件が発生することにより、防犯カメラ２〜２Ｎによって撮影された目的映像を検索してその目的映像の内容を確認する必要性が生じた場合には、図３のステップＳ１に示すように、映像確認者が、映像記録装置用インターフェイス部７に、映像確認装置８の映像確認装置用インターフェイス部１０を、通信回線９により接続して、入力部１４を操作して中央処理部１１に格納されている画像確認ソフトを起動（画像確認ツール起動）させる。
【００１９】
（２）次いで、図３のステップＳ２に示すように、映像確認者が入力部１４を操作することにより、映像記録装置３の映像記録部６に記録されているデジタル映像データの、映像確認装置８側への取り込み（画像データ取り込み）を実行させる。映像確認装置８側に取り込み取り込まれたデジタル映像データは、映像記録部６に格納される。
【００２０】
（３）次いで、図３のステップＳ３に示すように、映像確認者が表示部１５を操作することで、映像確認装置８に取り込まれて映像記録部６に格納されているデジタル映像データの、所定時間帯（確認したい時間帯）の部分につきチャプター検索を実行する。
【００２１】
（４）次いで、図３のステップＳ４に進み、チャプター検索されたデジタル映像データが、図４に示すように、表示部１５にチャプター検索第１画面１６として表示させる。チャプター検索第１画面１６には、記録時間単位の分割映像が、１２個のサムネイル静止画として表示される。ここでは、ある年における４月１日の９時から２０時の間の１時間単位の分割映像が、１２個のサムネイル静止画として表示される。（分割サムネイル表示）。
【００２２】
（５）次いで、図３のステップＳ５に進み、チャプター検索第１画面１６に表示されたサムネイル静止画中に、映像確認者が確認したい目的画像が有るか無いかの判定を行う。そして、目的画像が無しの場合には、図３のステップＳ５に示すように、ステップＳ３に戻り、別の時間帯の分割映像を、チャプター検索第１画面１６に表示する。チャプター検索第１画面１６に表示された分割映像中に、映像確認者が確認したい目的画像が有りの場合には、図３に示すように、ステップＳ６に進む。
【００２３】
（６）次いで、ステップＳ６では、チャプター検索第１画面１６において、検索したいサムネイル静止画の開始位置及び終了位置を選択指定することで、時間帯を細分化して検索する映像の絞り込みが行われる。例えば、ある年における４月１日の１２時から１３時の間で、防犯カメラ２〜２Ｎによって撮影された映像の内容を確認したい場合には、図４のチャプター検索第１画面１６において、開始位置である１２時のサムネイル静止画１６Ａと終了位置である１３時のサムネイル静止画１６Ｂを指定した後、図４のチャプター検索第１画面１６の絞込み釦１７を押すことで、検索する映像の絞り込みが行われる（サムネイル選択１）。
【００２４】
（７）次いで、検索する映像の絞り込みが行われると、図３のステップＳ７に進み、絞り込まれた映像、すなわち、４月１日の１２時から１３時の間の所定分単位の分割映像が、図４に示すように、表示部１５にチャプター検索第２画面１８として表示される。ここでは、チャプター検索第２画面１８には、５分単位の分割映像が、１２個のサムネイル静止画として表示される（分割サムネイル表示）。
【００２５】
（８）次いで、図３のステップＳ８に進み、チャプター検索第２画面１８に表示された分割映像中に、映像確認者が確認したい目的画像が有るか無いかの判定を行う。そして、目的画像が無しの場合には、図３のステップＳ６に戻り、別の時間帯の５分単位の分割映像を、チャプター検索第２画面１８に表示する。チャプター検索第２画面１８に表示された分割映像中に、映像確認者が確認したい目的画像が有りの場合には、図３に示すように、ステップＳ９に進む。
【００２６】
（９）次いで、図３のステップＳ９では、チャプター検索第２画面１８に表示されたサムネイル静止画中、目的画像に該当するサムネイル静止画１８Ａを選択指定した後、図４のチャプター検索第２画面１８の絞込み釦１７を押すことで、検索する映像の絞り込みが行われる（サムネイル選択２）。
【００２７】
（１０）次いで、チャプター検索第２画面１８において、検索する映像の絞り込みが行われると、図３のステップＳ１０に進み、絞り込まれた映像、すなわち、チャプター検索第２画面１８のサムネイル静止画１８Ａが、表示部１５に再生映像画面２０として、図４に示すように映像再生される（映像再生）。
【００２８】
（１１）次いで、図３のステップＳ１１に進み、表示部１５に表示された映像が、映像確認者が確認したいところの目的映像で有るか無いかの判定を行う。そして、目的映像で有る場合には、そのまま映像確認作業が終了する。万一、目的映像で無かった場合には、図３のステップＳ９に戻り、チャプター検索第２画面１８に表示された別のサムネイル静止画を選択する（サムネイル選択２）した後、その選択した別のサムネイル静止画を、表示部１５に再生映像画面２０として映像再生し、映像確認者が確認したいところの目的映像が再生されるまで繰り返し、目的映像が再生されたならば、映像確認作業が終了する。
【００２９】
以上のように、上記本発明の一実施形態によれば、チャプター検索第１画面１６及びチャプター検索第２画面１８のサムネイル静止画の選択指定並びに検索する映像の絞り込みを、汎用パソコンからなる映像確認装置８の表示部１５で、簡単に行うことができる。しかも、汎用パソコンからなる映像確認装置８側でチャプター検索第１画面１６及びチャプター検索第２画面１８のサムネイル静止画の選択指定並びに検索する映像の絞り込みを行うようにしたので、映像記録装置３側に、高級仕様の処理機構及びソフトを設ける必要がなく、映像記録装置３を廉価なものとすることができる。
【００３０】
さらに、上記実施形態の映像監視システムでは、必要の都度、映像記録装置３の映像記録部６よりデジタル映像データを読み出して、そのデジタル映像データを映像確認装置８の画像記憶部１２に格納し、その後、画像記憶部１２に格納されたデジタル映像データを、画像処理部１３で処理した後、表示部１５表示するようにしているので、映像確認装置８側の操作ミスで画像記憶部１２に格納されたデジタル映像データを消去若しくは破損してしまっても、映像記録装置３の映像記録部６に格納されているデジタル映像データが消去若しくは破損してしまうことがなく、安全である。
【図面の簡単な説明】
【００３１】
【図１】本発明の一実施形態に係わる映像監視システムの全体構成を示す、ブロック図である。
【図２】本発明の一実施形態に係わる映像監視システムの映像記録装置の映像記録部の映像記録形式の概念説明図である。
【図３】本発明の一実施形態に係わる映像監視システムの映像検索手順を示すフローチャートである。
【図４】本発明の一実施形態に係わる映像監視システムの映像記録装置に接続される映像確認装置に表示される表示画面例の説明図である。
【符号の説明】
【００３２】
１    映像監視システム
２    防犯カメラ
３    映像記録装置
４    Ａ／Ｄ変換部
５    制御部（映像制御部）
６    映像記録部
７    映像記録装置用インターフェイス部
８    映像確認装置
９    通信線
１０  映像確認装置用インターフェイス部
１１  中央処理部
１２  画像記憶部
１３  画像処理部
１４  入力部
１５  表示部
１６  チャプター検索第１画面
１７  絞込み釦
１８  チャプター検索第２画面
１９  絞込み釦
２０  再生映像画面
【図１】
2006074667.tif 000003
【図２】
2006074667.tif 000004
【図３】
2006074667.tif 000005
【図４】
2006074667.tif 000006